(57)【特許請求の範囲】
【請求項１】
扉に設ける錠ケースおよび非常カバー取付用の取付座と、前記錠ケースに内蔵されたデッドボルトをシリンダーカム軸の作動により出没するシリンダーと、このシリンダーを嵌装して前部につまみを有する筒状のつまみ体と、該つまみ体とシリンダーカム軸との間には、非常時に前記シリンダーに対するキー操作することなく、前記つまみ体のつまみを回動することによりシリンダーカム軸を作動してデッドボルトを後退して解錠できるようにした解錠部材と、前記シリンダーとつまみ体と取付座とを通常時においては被覆する非常カバーとを備えたシリンダー付き非常解錠装置であって、
前記取付座は、シリンダー又はつまみ体の後部を嵌挿するガイド穴を有する台座と制御板との二部材で分離可能に設けてあると共に、前記制御板は台座に対して表裏反転して装着可能に設けてあり、
前記制御板のガイド穴の内周壁の一部には内向きの爪部を設けてあり、この爪部は、制御板の正位置では左側に位置し、該制御板を表裏反転して装着した状態では右側に位置するようにしてあり、
さらに、前記つまみ体の後部の左右位置には前記制御板の爪部を係合して、つまみ体自体の回動範囲を規制する係合部が形成されているとともに、該つまみ体の後端部には前記解錠部材であるシリンダーカム軸のカムを臨ませる長穴が形成してあることを特徴とするシリンダー付き非常解錠装置。
【発明の詳細な説明】
【技術分野】
【０００１】
本発明は、建物の非常口などの扉に設けるシリンダー付きの非常解錠装置に関するものである。
【背景技術】
【０００２】
このシリンダー付きの非常解錠装置は、火災等の非常時において、シリンダーの合鍵（キー）を使用することなく、専用のつまみを回すだけで解錠できるものである。
【０００３】
すなわち、この非常解錠装置は、通常時には、合鍵（キー）でシリンダーを回動操作することにより錠ケースの施解錠機構を作動して、錠ケースからデッドボルトを出没させ、非常扉の施解錠を可能とする。一方、火災等の非常時には、通常は被覆している非常カバーを取り外し又は割って、つまみ体を回動することにより、キーを使用せずに錠ケース内の施解錠機構を回動し、デッドボルトを錠ケース内に没入（後退）させて解錠できるようにしている。
【０００４】
従来、この種のシリンダー付き非常解錠装置としては、特開２００３−３０１６４２号公報（特許文献１）や図１２〜図１４に示す本願出願人の製造販売する非常解錠装置が知られている。
【０００５】
上記特許文献１や、図１２〜図１４のシリンダー付き非常解錠装置７０は、図１２に示すように、扉（図示せず）の開放端側には、錠機構部（図示せず）を内蔵した錠ケース（図示せず）が埋設されている。この錠ケースは、通常のシリンダーと同様にシリンダー８０の内筒８１の鍵穴８２に合鍵（キー）を挿入して回動し錠機構部でもあるシリンダー操作軸８３を作動することで、デッドボルト（図示せず）を出没させて扉を施解錠可能とする。
【０００６】
図１２に示すように、シリンダー８０の外筒９０は、前半部の前部外筒９１と、後半部の後部外筒９５とで着脱自在に設けてある。そして、前部外筒９１と後部外筒９５とには、内筒嵌通穴（図示せず）が連通して穿設され、両嵌通穴に内筒８１とシリンダー操作軸８３が嵌装されている。
【０００７】
後部の内筒嵌通穴（図示せず）には、シリンダー操作軸８３が嵌装される。そして該シリンダー操作軸８３の前端部には嵌入溝（図示せず）が形成してある。前部の内筒嵌通穴に嵌装される内筒８１には、後端部に前記嵌入溝に係入する連結片（図示せず）が突出され、前端部に合鍵が抜き差しされる鍵穴８２が形成されている。図１２では詳細に図示されていないが、前記鍵穴８２に合鍵を挿入して回動することで、前記外筒９０と内筒８１に嵌装した複数のタンブラーピンのシアーラインを、外筒９０と内筒８１との境界線に一致させることにより、施解錠可能となる。
【０００８】
前記シリンダー８０（内筒８１、外筒９０）を嵌装して前部につまみ１０１を有する筒状のつまみ体１００と、該つまみ体１００とシリンダー操作軸８３との間には、非常時に前記シリンダー８０に対するキー操作することなく、前記つまみ体１００のつまみ１０１を回動することによりシリンダー操作軸８３を作動してデッドボルトを後退して解錠できるようにした解錠部材とを備えている。
解錠部材は、シリンダー８０の一部（後部外筒９５）に形成したピン挿入穴（図示せず）に嵌挿したストッパーピン９６とバネ（図示せず）とで構成している。このストッパーピン９６は、前記バネの付勢力により常時には下方（シリンダー操作軸８３の中心方向）に付勢されているが、図１３の施錠状態ではバネの付勢力に抗して上方に突出して、つまみ体１００の後端部に形成した切欠き１０２に臨ませている。
【０００９】
また、図１２において、７５は、裏板７６と表板７７とで一体に設けた取付座であって、この取付座７５はネジ挿入穴７８からネジ（図示せず）をねじ込んで扉に固着される。
【００１０】
前記シリンダー８０とつまみ体１００と取付座７５とは、通常時においては非常カバー（図示せず）で被覆されている。この非常カバーは、火災等の非常時には取り外し又は割って、つまみ体１００を回動することにより、キーを使用せずに錠ケース内の施解錠機構を回動し、デッドボルトを錠ケース内に没入（後退）させて解錠できる。
【先行技術文献】
【特許文献】
【００１１】
【特許文献１】特開２００３−３０１６４２号公報
【発明の概要】
【発明が解決しようとする課題】
【００１２】
しかしながら、上記特許文献１や本願出願人が製造販売している図１２〜図１４に示すようなシリンダー付き非常解錠装置によれば、取付座７５は裏板７６と表板７７とを一体に固定し、しかも後部外筒９５に設けたストッパーピン９６が係合するつまみ体１００の切欠き１０２の形成位置は、図１３、１４の如く背面側から見て右回転用Ｒ型と左回転用Ｌ型との勝手の区別により形成位置が異なる（図１３、図１４参照）。
【００１３】
そのため、図１２〜図１４で示したもでは、錠の種類や扉の勝手などに応じて、前記つまみ体１００は右回転用と左回転用の２種類を揃える必要があり、構成部品が多数必要であった。
また、手配ミス等により左右勝手を間違った場合、取付現場では勝手を変更することができないなどの問題があった。
【００１４】
本発明は、上記従来例の問題を解消しようとするものであり、前記取付座は台座と制御板との二部材で分離可能に設けると共に、制御板は台座に対して表裏反転して装着可能に設ける一方、制御板に設けた爪部はつまみ体の後部の左右位置に形成した係合部に係合して、つまみ体自体の回動範囲を規制すると共に、前記つまみ体の後端部には解錠部材であるシリンダーカム軸のカムを臨ませる長穴が形成してあることにより、左右勝手の対応が簡単な構成で簡単に対応できる。また、取付現場でも左右勝手の取り替えが簡単にできるなどの利点を有するシリンダー付き非常解錠装置を提供することを目的とする。
【課題を解決するための手段】
【００１５】
上記目的を達成するため、本発明の請求項１のシリンダー付き非常解錠装置は、扉に設ける錠ケースおよび非常カバー取付用の取付座と、前記錠ケースに内蔵されたデッドボルトをシリンダーカム軸の作動により出没するシリンダーと、このシリンダーを嵌装して前部につまみを有する筒状のつまみ体と、該つまみ体とシリンダーカム軸との間には、非常時に前記シリンダーに対するキー操作することなく、前記つまみ体のつまみを回動することによりシリンダーカム軸を作動してデッドボルトを後退して解錠できるようにした解錠部材と、前記シリンダーとつまみ体と取付座とを通常時においては被覆する非常カバーとを備えたシリンダー付き非常解錠装置であって、
前記取付座は、シリンダー又はつまみ体の後部を嵌挿するガイド穴を有する台座と制御板との二部材で分離可能に設けてあると共に、前記制御板は台座に対して表裏反転して装着可能に設けてあり、
前記制御板のガイド穴の内周壁の一部には内向きの爪部を設けてあり、この爪部は、制御板の正位置では左側に位置し、該制御板を表裏反転して装着した状態では右側に位置するようにしてあり、
さらに、前記つまみ体の後部の左右位置には前記制御板の爪部を係合して、つまみ体自体の回動範囲を規制する係合部が形成されているとともに、該つまみ体の後端部には前記解錠部材であるシリンダーカム軸のカムを臨ませる長穴が形成してあることを特徴とする。
【００１６】
ここで、「解錠部材」は、後述する実施形態で示した構成に限らず、適宜設計変更できる。
また、取付座を構成する「台座と制御板」の形状や構成も、実施形態で示したものに限らず、適宜設計変更できる。
【発明の効果】
【００１７】
本発明の請求項１のシリンダー付き非常解錠装置によれば、前記取付座は台座と制御板との二部材で分離可能に設けると共に、制御板は台座に対して表裏反転して装着可能に設ける一方、制御板に設けた爪部はつまみ体の後部の左右位置に形成した係合部に係合して、つまみ体自体の回動範囲を規制すると共に、前記解錠部材であるシリンダーカム軸のカムを臨ませる長穴が形成してあることにより、左右勝手の対応が簡単な構成で簡単に対応できる。また、取付現場でも左右勝手の取り替えが簡単にできるなどの利点を有する。
【図面の簡単な説明】
【００１８】
【図１】本発明の実施の形態１におけるシリンダー付き非常解錠装置の要部の分解斜視図である。
【図２】図１のシリンダー付き非常解錠装置を扉に取付ける場合の一適用例を示した分解斜視図である。
【図３】図１のシリンダー付き非常解錠装置を扉に取り付けた場合の側面図である。
【図４】図３の一部の縦断面図である。
【図５】取付座の台座の斜視図である。
【図６】取付座の制御板の斜視図を示し、（Ａ）は制御板が正位置で爪部が左側に位置している場合を示し、（Ｂ）は制御板が表裏反転した反転位置で爪部が右側に位置している場合を示す。
【図７】つまみ体とシリンダーの後部外筒を結合した状態の斜視図である。
【図８】シリンダーカム軸の外形図を示し、（Ａ）は平面図、（Ｂ）は正面図、（Ｃ）は底面図、（Ｄ）は前記（Ａ）の部分断面図である。
【図９】シリンダーの前部外筒と内筒とを結合した状態の斜視図である。
【図１０】シリンダーの後部外筒と内筒とシリンダーカム軸とを結合して、正面側から見てつまみ体が左回転のＲ型の場合を示し、（Ａ）は正面図、（Ｂ）は背面図、（Ｃ）は（Ｂ）の状態より右方向に７０°回転した解錠状態を示す。
【図１１】シリンダーの後部外筒と内筒とシリンダーカム軸とを結合して、正面側から見てつまみ体が右回転のＬ型の場合を示し、（Ａ）は正面図、（Ｂ）は背面図、（Ｃ）は（Ｂ）の状態より左方向に７０°回転した解錠状態を示す。
【図１２】従来例のシリンダー付き非常解錠装置の分解斜視図である。
【図１３】図１２におけるつまみ体が正面から見て左回転（背面から見て右回転）のＲ型の場合のシリンダーとシリンダー操作軸及びつまみ体の背面図である。
【図１４】つまみ体が正面から見て右回転（背面から見て左回転）のＬ型の場合のシリンダーとシリンダー操作軸及びつまみ体の背面図である。
【発明を実施するための形態】
【００１９】
本発明の実施の形態を図１〜図１１に基づいて以下に説明する。
【００２０】
図３に示すように、扉Ｄの開放端側には錠機構部（図示せず）を内蔵した錠ケース２が埋設されている。この錠ケース２には、本発明に係るシリンダー付き非常解錠装置１が接続されている。
【００２１】
前記シリンダー付き非常解錠装置１は、扉Ｄの外面（表面）にネジ１３で固定される取付座１０と、錠ケース２に内蔵されたデッドボルト３（図２参照）が、シリンダーカム軸２２の作動により出没されるシリンダー２０と、このシリンダー２０を嵌装して前部につまみ４１を有する筒状のつまみ体４０と、該つまみ体４０とシリンダーカム軸２２との間には、非常時に前記シリンダー２０に対するキー操作することなく、前記つまみ体４０のつまみ４１を回動することによりシリンダーカム軸２２を作動してデッドボルト３を後退して解錠できるようにした解錠部材でもあるシリンダーカム軸２２と、前記シリンダー２０とつまみ体４０と取付座１０とを通常時において被覆する非常カバー６０とを備えている。
【００２２】
取付座１０は、図１〜図３、図５、図６に示されているように、シリンダー２０又はつまみ体４０の後部を嵌挿するガイド穴１１ａ、１２ａを有する台座１１と制御板１２との二部材で分離可能に設けてあると共に、前記制御板１２は台座１１に対して表裏反転して装着可能に設けてある。
なお、図１〜図３、図５、図６、１１ｂは台座１１に形成したネジ挿通穴、１２ｂは制御板１２に形成したネジ挿通穴である。
【００２３】
前記制御板１２のガイド穴で１２ａの内周壁の一部には内向きの爪部１４を設けてある。この爪部１４は、制御板１２の正位置（図１、図２、図６（Ａ）参照）では左側に位置し、該制御板１２を表裏反転して装着した状態では右側に位置（図６（Ｂ）参照）するようにしてある。
このように、本発明では、制御板１２に爪部１４を形成すると共に、この制御板１２を表裏反転することにより爪部１４が左又は右位置に変位できるように工夫して、左右勝手の問題を解消している。
【００２４】
シリンダー２０は、概略において、図４に示されているように設けている。これを図４に基づいて以下に説明する。
シリンダー２０は、内筒２１と外筒３０とで着脱自在に設けてあり、前記外筒３０は、前半部の前部外筒３１と、後半部の後部外筒３５とで着脱自在に設けてある。そして、前部外筒３１と後部外筒３５とには、内筒嵌通穴３１ａ、３５ａが連通して穿設され、両嵌通穴３１ａ、３５ａに内筒２１が嵌装されている。
【００２５】
後部の内筒嵌通穴３５ａには、図８に示すようなシリンダーカム軸２２が嵌装される。このシリンダーカム軸２２は、図４、図８及び図１０（Ａ）、（Ｂ），（Ｃ）から判るように、前端部の一端部にカム２２ｂを、他端部に一対の突部２２ａ、２２ａを形成し、前記カム２２ｂはつまみ体４０に形成した長穴４７を移動可能に臨ませていると共に、前記一対の突部２２ａ、２２ａは施錠状態位置においてはストッパーピン５１をバネ５２の付勢力に抗して上方へ押し上げるようにしている(図１０参照）。また、前端部に嵌入穴２３が、該嵌入穴２３より少し後方にはクリックボール２８用の収納凹部２４が形成されている。クリックボール２８はクリックバネ２９で常時には下方に付勢されている。
【００２６】
前部の内筒嵌通穴３１ａに嵌装される内筒２１には、後端部にシリンダーカム軸２２の嵌入穴２３に係入して連結される連結片２５が突出され、前端部に合鍵が抜き差しされる鍵穴２６が形成されている。前記鍵穴２６に合鍵を挿入して回動することで、前記外筒３０と内筒２１に嵌装した複数のタンブラーピンのシアーラインを、外筒３０と内筒２１との境界線に一致させることにより、施解錠可能となる。
【００２７】
前記つまみ体４０は、シリンダー２０（内筒２１、外筒３０）を嵌装するものであるが、このつまみ体４０の後部の左右位置には、図１、図２、図７及び図１０に示されているように、前記制御板１２の爪部１４を係合して、つまみ体４０自体の回動範囲を規制する係合部４２、４２が形成されている。また、つまみ体４０の後端部には、図４、図１０に示されているように、ストッパーピン５１を臨ませる切欠き４３、４４、４５が形成してある。
【００２８】
解錠部材であるシリンダーカム軸２２は、カム２２ｂと突部２２ａを有し、後部外筒３５に形成したピン挿入穴３６には、ストッパーピン５１とバネ５２とが嵌装されている。このストッパーピン５１は、常時はバネ５２により下方（シリンダーカム軸２２の中心軸方向）に付勢されているが、施錠状態では図１０（Ａ）、（Ｂ）の如く、シリンダーカム軸２２のカム２２ａによって押し上げられて、つまみ体４０の切欠き４４内に（突出して）に臨ませている。
【００２９】
（本発明の作用）
火災等の非常時に、合鍵を使用することなく、つまみ体４０を回動してデッドボルト３を後退して解錠する作動について、以下に説明する。
【００３０】
図１０はＲ型を示すもので、図１０（Ａ）、（Ｂ）の施錠状態位置において、つまみ体４０により解錠する場合、つまみ体４０は、背面図である図１０（Ｂ）の矢印の如く右（時計）方向に回す（実際には正面図である図１０（Ａ）において矢印の如く左（反時計）方向に回す。なお、シリンダー２０とシリンダーカム軸２２と外筒３０とつまみ体４０を組み付ける際に、シリンダーカム軸２２の背面側から当該シリンダーカム軸２２の位置は、図１０（Ｂ）のように決定している。）ものと設定した場合に、つまみ体４０を図１０（Ｂ）の状態から図１０（Ｃ）に示すように例えば約７０°右（時計）方向に回動すると、つまみ体４０は回転中心ＴＯを回動支点として７０°回動する。
このとき、後述するように、図１０（Ｂ）において、つまみ体４０の切欠き４４の中央位置に臨んでいたストッパーピン５１の上端部５１ａは、上記７０°の回動により図１０（Ｃ）に示すようにつまみ体４０の切欠き４３の左端部位置に臨むようになる。それと同時に、シリンダーカム軸２２はカム２２ｂがつまみ体４０の下部に形成された円弧状の長穴４７の右端部４７ａに押されてつまみ体４０と一体に回動して（シリンダーカム軸２２の後端部に刻印されているＲ，Ｌの文字のＲ方向に回動して）（錠のデッドボルト３を解錠して）図１０（Ｃ）の解錠状態となる。
なお、その時つまみ体４０の回転初期の段階では、ストッパーピン５１の下端部５１ｂは突部２２ａとの係合が外れ、突部２２ａと突部２２ａとの間の凹部に落ち込むので、ストッパーピン５１の上端部５１ａは、つまみ体４０の切欠き４４と切欠き４３との間の仕切り部４６に当接しない位置にまで落ち込む（下方に移動する）。そのため、ストッパーピン５１は切欠き４３内に移動し、つまみ体４０が７０°回転した位置でシリンダーカム軸２２のもう一方の突部２２ａに当接してストッパーピン５１がバネ５２に抗して上へ押し上げられ、図１０（Ｃ）の状態となる。
【００３１】
また、図１０（Ｂ）の施錠状態位置において、つまみ体４０の後部外周に形成した左右一対の円弧状の係合部４２、４２の左側の係合部４２には、制御板１２に形成した爪部１４が係合され、左側の係合部４２の上端部４２ａに当接している。つまり、つまみ体４０は図１０（Ｂ）において、決められた勝手（回動方向）である、矢印の方向のみの回動が可能であり、反対方向の回動はできないようにしてある。上記図１０（Ｂ）の状態で、非常時につまみ体４０を把持して同図の矢印のように右方向へ図１０（Ｃ）の位置迄回動すると、爪部１４は左側の係合部４２の下端部４２ｂに当接して、つまみ体４０が更に右方向に回動するのを阻止する。またその時、つまみ体４０を図１０（Ｂ）の元の状態に回動すると、切欠き４３の右側の仕切り部４６がストッパーピン５１に当接するまで(角度αだけ）回動するが、それ以上（７０°）は回動しない。即ち、解錠状態の元の状態までは回動しない。このことは、(非常）解錠した後、つまみ体４０が元に戻って施錠状態と誤認されないようにする為のもである。なお、長穴４７の右端部４７ａにシリンダーカム軸２２のカム２２ｂが当接するまで回動しないので、シリンダーカム軸２２は回動しない。即ち、施錠されない。
【００３２】
図１１はＬ型を示すもので、図１１（Ａ）、（Ｂ）、（Ｃ）は、取付座１０の制御板１２を台座１１に対して図１０に対して表裏反転して装着して、図１１（Ａ）、（Ｂ）の施錠状態位置において、つまみ体４０の解錠方向への回動を図１１（Ａ）の正面図において矢印の如く右（時計）方向に回す（図１１（Ｂ）の背面図では矢印の如く左（反時計）方向に回す）ものと設定した場合の実施例を示す。この実施例は、前記制御板１２を表裏反転して爪部１４が前記図１０（Ａ）、（Ｂ）と異なり、それに伴う配置が逆になり、動作は前記図１０の場合と回動方向が逆になるだけで、同じである。
上記説明から明らかなように、Ｒ型とＬ型の特定は、つまみ体４０の解錠方向の回動により一体に回動するシリンダーカム軸２２の回動方向が、シリンダーカム軸２２の後端部に刻印されているＲ，Ｌの文字のＲ方向をＲ型、Ｌ方向をＬ型としている。
【００３３】
なお、前部外筒３１と後部外筒３５とは、図３に示すように、ネジ３９によって連結されている。
【００３４】
ところで、シリンダーカム軸２２の回転中心ＣＯは、前記つまみ体４０の回転中心ＴＯより下方位置で異なる構成であり、しかもシリンダーカム軸２２のカム２２ｂの中心線の回動角度はつまみ体４０の回動角度７０°より大きく９０°としている（図１０（Ａ）、（Ｂ）、（Ｃ）参照）。（シリンダーカム軸２２の９０°の回動によりデッドボルト３が出没作動される。）。
【符号の説明】
【００３５】
１      シリンダー付き非常解錠装置
２      錠ケース
３      デッドボルト
１０    取付座
１１    台座
１２    制御板
１４    爪部
２０    シリンダー
２１    内筒
２２    シリンダーカム軸(解錠部材）
２６    鍵穴
２８    クリックボール
３０    外筒
３１    前部外筒
３５    後部外筒
４０    つまみ体
４１    つまみ
４２    係合部
４３，４４，４５    切欠き
４６    仕切り部
４７    長穴
５１    ストッパーピン
５２    バネ
６０    非常カバー
【図１】
0006534323.tif 000002
【図２】
0006534323.tif 000003
【図３】
0006534323.tif 000004
【図４】
0006534323.tif 000005
【図５】
0006534323.tif 000006
【図６】
0006534323.tif 000007
【図７】
0006534323.tif 000008
【図８】
0006534323.tif 000009
【図９】
0006534323.tif 000010
【図１０】
0006534323.tif 000011
【図１１】
0006534323.tif 000012
【図１２】
0006534323.tif 000013
【図１３】
0006534323.tif 000014
【図１４】
0006534323.tif 000015